(57)【要約】【課題】ひったくり事件等、通常の使用時に比してバッグに配設されているベルトに強い力が加わった場合には、ベルトがバッグ本体から外れるように構成することができ、不慮の災難に際して使用者の損害を最小限にすることができる角環を提供することを課題とする。【解決手段】角環本体は、基杆部１０と、この基杆部１０の両端にそれぞれ基端部分２１，３１が連設されている腕部２つの２０，３０とによって構成されている。４０はピンであり、このピン４０の両端にはテーパー部４１，４２が形成されている。腕部２０，３０の先端部分２２，３２の内側には、ピン４０のテーパー部４１，４２と係合可能な係合孔２３，３３が穿設されている。【選択図】      図２
2005046217.tif 000002
【特許請求の範囲】
【請求項１】
互いに平行な２つの腕部の基端部分が基杆部の両端にそれぞれ連設されている角環本体と、前記基杆部の長さよりも若干長い長さを有するピンとによって構成される角環であって、
前記ピンの両端にはそれぞれテーパー部が形成され、前記２つの腕部の先端部分の内側にはそれぞれ前記ピンのテーパー部と係合可能な係合孔が穿設されていることを特徴とする角環。
【請求項２】
前記基杆部は、両端の前記テーパー部がそれぞれ前記係合孔に係合している前記ピンの方向に向かって凸状に湾曲している形状に形成されていることを特徴とする請求項１に記載の鞄の係止金具。
【請求項３】
前記腕部の先端部分の内側には、当該先端部分の縁から前記係合孔に至る、前記ピンのテーパー部の先端を案内する案内溝が形成されていることを特徴とする請求項１または請求項２に記載の角環。
【発明の詳細な説明】
【０００１】
【発明の属する技術分野】
本発明は、バッグ本体とベルトとの接続部に配設される角環に関するものである。
【０００２】
【従来の技術】
図１２は、従来の角環の構成を示した斜視図である。図１２に示したように従来の角環は、基杆部１、腕部２，３、係合杆部４が一体的に形成されている。
【０００３】
このように構成されている角環は、図１３に示したように、ショルダーバッグのバッグ本体ＡとベルトＢとの接続部等に配設されてるものである。このようにショルダーバッグに配設されている角環においては、基杆部１はバッグ本体Ａに配設されている固定用ベルト５によって巻回固定されており、係合杆部４はベルトＢの端部によって巻回固定されている。
【０００４】
【発明が解決しようとする課題】
近年、図１３に示したようなショルダーバッグをひったくる事件が頻発している。このようなひったくり事件において犯人Ｈは、図１４（ａ）に示したようにショルダーバッグの使用者Ｐの背後から近づき、図１４（ｂ）に示したように使用者Ｐの肩から下がっているベルトＢを掴む目標とし、このベルトＢを掴んで１４（ｃ）に示したようにこのベルトＢと共にバッグ本体Ａを使用者Ｐからひったくることが多い。このようなひったくり事件の際、図１４（ｃ）に示したようにバッグ本体ＡやベルトＢが使用者Ｐの肩や腕に引っ掛かることが多く、このような場合には、使用者Ｐは転倒して負傷してしまうことがある。
【０００５】
本発明の目的は、ひったくり事件等、通常の使用時に比してベルトＢに強い力が加わった場合には、ベルトＢがバッグ本体Ａから外れるように構成することができ、不慮の災難に際して使用者の損害を最小限にすることができる角環を提供することにある。
【０００６】
【課題を解決するための手段】
以上の目的を達成するために本発明は、互いに平行な２つの腕部の基端部分が基杆部の両端にそれぞれ連設されている角環本体と、前記基杆部の長さよりも若干長い長さを有するピンとによって構成される角環であって、前記ピンの両端にはそれぞれテーパー部が形成され、前記２つの腕部の先端部分の内側にはそれぞれ前記ピンのテーパー部と係合可能な係合孔が穿設されていることを特徴とするものである。
【０００７】
なお、前記基杆部は、両端の前記テーパー部がそれぞれ前記係合孔に係合している前記ピンの方向に向かって凸状に湾曲している形状に形成されていてもよい。
【０００８】
さらに、前記腕部の先端部分の内側には、当該先端部分の縁から前記係合孔に至る、前記ピンのテーパー部の先端を案内する案内溝が形成されていてもよい。
【０００９】
【発明の実施の形態】
以下、図面を用いて本発明の実施形態について説明する。
【００１０】
（実施形態１）
図１は本発明の実施形態１の構成を示す斜視図であり、図２はその断面図、図３は分解図である。
【００１１】
図１ないし図３において、１０は角環本体の基杆部であり、２０，３０は腕部である。２つの腕部２０，３０は、互いに平行となるように、その基端部分２１，３１が基杆部１０の両端にそれぞれ連設されている。
【００１２】
４０はピンであり、このピン４０の長さは、図３に示したように基杆部１０の長さよりも若干長い長さに選ばれている。ピン４０の両端にはそれぞれテーパー部４１，４２が形成されている。
【００１３】
２つの腕部２０，３０の先端部分２２，３２の内側には、ピン４０のテーパー部４１，４２と係合する係合孔２３，３３が穿設されている。この係合孔２３，３３の径Ｄ２は、図２に示したようにピン４０の直径Ｄ１よりも若干小さい値に選ばれている。なお、本実施形態においては、係合孔２３，３３は透孔の形態となっているが、この係合孔２３，３３は透孔としなくてもよい。
【００１４】
また、本実施形態においては、ピン４０のテーパー部４１，４２の形状は、図４（ａ）に示したように円錐形状となっているが、このテーパー部の形状は円錐形状に限られるものではなく、テーパー状であればどのような形状のものであってもよい。例えば、図４（ｂ）または図４（ｃ）に示すような形状のものであってもよい。
【００１５】
以上のように構成された本実施形態においては、図５に示したように、基杆部１０およびピン４０に、互いが離隔するような方向の強い力Ｆ１が加わると、ピン４０のテーパー部４１，４２の作用により、腕部２０，３０の先端部分２２，３２がＸ方向に変位して、ピン４０が外れる。
【００１６】
このような本実施形態をバッグ本体ＡとベルトＢとの接合部に配設した場合には、図６（ａ），（ｂ）に示したように、ひったくりの犯人Ｈが使用者Ｐの背後から近づき、ベルトＢを掴んでバッグ本体Ａをひったくろうとした場合、図６（ｃ）に示したようにバッグ本体ＡからベルトＢのみが外れるので、使用者Ｐの損害は、ベルトＢのみですむ。さらにバッグ本体ＡからベルトＢが外れるので、使用者Ｐが転倒して負傷する事態も防ぐことができる。
【００１７】
（実施形態２）
図７は、本発明の実施形態２の構成を示した斜視図であり、図８はその断面図、図９は分解図である。
【００１８】
図７ないし図９に示した本実施形態２が、先に説明した実施形態１と異なるところは、本実施形態２においては、基杆部１０がピン４０の方向に向かって凸状に湾曲している形状に形成されていることと、腕部３０の先端部分３２の内側に先端部分の縁から係合孔３３に至る案内溝３４が形成されていることである。この案内溝３４は、基杆部１０および腕部２０，３０からなる角環本体にピン４０を装着する場合、ピン４０のテーパー部４２の先端を案内するものである。その他の構成は、実施形態１と同じであるのでその説明は省略する。
【００１９】
以上のように構成された本実施形態２においては、角環本体にピン４０を装着する場合、図１０（ａ）に示したように、ピン４０のテーパー部４１を係合孔２３に係合させた状態で、テーパー部４２の先端を案内溝３４に合わせて、ピン４０および基杆部１０に、互いが近接するような方向の力Ｆ２を加えると、図１０（ｂ）に示したように腕部２０，３０の先端部分２２，３２がＸ方向に変位するので、テーパー部４２の先端を案内溝３４に沿って動かすことにより、ピン４０を角環本体に容易に装着することができる（図１０（ｃ）参照）。
【００２０】
次に、図１０（ｃ）に示したようにピン４０が角環本体に装着されている状態において、図１１（ａ）に示したように、基杆部１０およびピン４０に互いが離隔するような方向の力がＦ１が加わった場合には、湾曲している基杆部１０が水平方向に伸びるように変位するので、腕部２０，３０の基端部分２１，３１はＹ方向に変位する。また、腕部２０，３０の先端部分２２，３２は、ピン４０のテーパー部４１，４２の作用によりＸ方向に変位する。
【００２１】
このような状態で力Ｆ１がさらに大きくなると、図１１（ｂ）に示したように、腕部２０，３０の先端部分２２，３２の変位量が大きくなってピン４０は角環本体から外れる。
【００２２】
以上のように機能する本実施形態２は、先に説明した実施形態１に比して、ピン４０の角環本体へ装着が容易であり、且つピン４０が外れにくい構成となっている。
【００２３】
【発明の効果】
以上の説明したように本発明によれば、ひったくり事件等、通常の使用時に比してベルトＢに強い力が加わった場合には、ベルトＢがバッグ本体Ａから外れるように構成することができ、不慮の災難に際して使用者の損害を最小限にすることができる角環を提供することができる。
【図面の簡単な説明】
【図１】本発明の実施形態１の構成を示す斜視図である。
【図２】図１に示した実施形態１の断面構成を示す断面図である。
【図３】図１に示した実施形態１の分解図である。
【図４】図１に示した実施形態１のピン４０の説明図である。
【図５】図１に示した実施形態１の動作説明図である。
【図６】図１に示した実施形態１の説明図である。
【図７】本発明の実施形態２の構成を示す斜視図である。
【図８】図７に示した実施形態２の断面構成を示す断面図である。
【図９】図７に示した実施形態２の分解図である。
【図１０】図７に示した実施形態２の動作説明図である。
【図１１】図７に示した実施形態２の動作説明図である。
【図１２】従来の角環の構成を示す斜視図である。
【図１３】従来の角環の説明図である。
【図１４】従来の角環の説明図である。
【符号の説明】
１，１０  基杆部
２，３，２０，３０  腕部
４  係合杆部
５  固定用ベルト
２１，３１  基端部分
２２，３２  先端部分
２３，３３  係合孔
３４  案内溝
４０  ピン
４１，４２  テーパー部
Ａ  バッグ本体
Ｂ  ベルト
Ｄ１，Ｄ２  直径
Ｆ１，Ｆ２  力
Ｈ  犯人
Ｌ１，Ｌ２  長さ
Ｐ  使用者
Ｘ，Ｙ  方向
【図１】
2005046217.tif 000003
【図２】
2005046217.tif 000004
【図３】
2005046217.tif 000005
【図４】
2005046217.tif 000006
【図５】
2005046217.tif 000007
【図６】
2005046217.tif 000008
【図７】
2005046217.tif 000009
【図８】
2005046217.tif 000010
【図９】
2005046217.tif 000011
【図１０】
2005046217.tif 000012
【図１１】
2005046217.tif 000013
【図１２】
2005046217.tif 000014
【図１３】
2005046217.tif 000015
【図１４】
2005046217.tif 000016